(57)【要約】【課題】水の飛散を抑制可能な加湿装置を得ること。【解決手段】加湿装置は、水を保持する加湿体及び前記加湿体へ流入した空気を流出させる開口を有し、前記開口が同一方向を向いて並んで配列される複数の加湿素子と、前記開口側で前記複数の加湿素子の一部と対向する給気口と、を備え、前記複数の加湿素子のうち水平面に対して傾斜する第１加湿素子と、前記第１加湿素子に隣接し、かつ前記水平面に対して傾斜する第２加湿素子との境界部分の少なくとも一部が前記給気口と対向し、前記第１加湿素子及び前記第２加湿素子は前記境界部分に向かって前記水平面から離れる。【選択図】図１
2018071913.tif 000002
【特許請求の範囲】
【請求項１】
水を保持する加湿体及び前記加湿体へ流入した空気を流出させる開口を有し、前記開口が同一方向を向いて並んで配列される複数の加湿素子と、
前記開口側で前記複数の加湿素子の一部と対向する給気口と、を備え、
前記複数の加湿素子のうち水平面に対して傾斜する第１加湿素子と、前記第１加湿素子に隣接し、かつ前記水平面に対して傾斜する第２加湿素子との境界部分の少なくとも一部が前記給気口と対向し、前記第１加湿素子及び前記第２加湿素子は前記境界部分に向かって前記水平面から離れることを特徴とする、加湿装置。
【請求項２】
水を保持する加湿体及び前記加湿体へ流入した空気を流出させる開口を有し、前記開口が同一方向を向いて並んで配列される複数の加湿素子と、
第１傾斜部及び前記第１傾斜部と接続される第２傾斜部を有するとともに、前記第１傾斜部と前記第２傾斜部とが接続する部分を頂部とする山型の形状を呈しており、前記第１傾斜部及び前記第２傾斜部で前記複数の加湿素子を支持する支持体と、
前記開口側で前記複数の加湿素子の一部と対向する給気口と、を備え、
前記複数の加湿素子のうち前記第１傾斜部に支持される第１加湿素子と、前記第１加湿素子に隣接し、かつ前記第２傾斜部に支持される第２加湿素子との境界部分の少なくとも一部が前記給気口と対向することを特徴とする、加湿装置。
【請求項３】
前記給気口は、前記第１加湿素子の前記境界部分側、及び前記第２加湿素子の前記境界部分側と対向することを特徴とする、請求項２に記載の加湿装置。
【請求項４】
前記第１傾斜部及び前記第２傾斜部の勾配は、前記加湿装置の許容設計勾配よりも大きいことを特徴とする、請求項２又は請求項３に記載の加湿装置。
【請求項５】
前記支持体は、
前記加湿素子の下方に設置されるドレンパンの盛り上がった部分であることを特徴とする、請求項２から請求項４のいずれか１項に記載の加湿装置。
【請求項６】
前記第１傾斜部と前記第２傾斜部とが接続される部分は、前記給気口から前記加湿素子を見て、前記給気口の中央部分の下方に位置することを特徴とする、請求項５に記載の加湿装置。
【請求項７】
前記支持体は、
前記複数の加湿素子を釣り下げる部材であることを特徴とする、請求項２から請求項４のいずれか１項に記載の加湿装置。
【請求項８】
前記第１傾斜部と前記第２傾斜部とが接続される部分は、前記給気口から前記加湿素子を見て、前記給気口の中央部分の上方に位置することを特徴とする、請求項７に記載の加湿装置。
【請求項９】
水を保持する加湿体及び前記加湿体へ流入した空気を流出させる開口を有するとともに、水平面に対して傾斜する加湿素子と、
前記開口側で前記加湿素子の一部と対向し、かつ傾斜した前記加湿素子の低い方に配置される前記加湿素子の部分とは対向しない給気口と、
を備えることを特徴とする加湿装置。
【請求項１０】
請求項１から請求項９のいずれか１項に記載の加湿装置を備えることを特徴とする、換気装置。
【請求項１１】
請求項１から請求項９のいずれか１項に記載の加湿装置を備えることを特徴とする、空気調和装置。
【発明の詳細な説明】
【技術分野】
【０００１】
本発明は、加湿空気を生成する加湿装置、換気装置及び空気調和装置に関する。
【背景技術】
【０００２】
従来から、加湿された空気を生成する機器として、自然蒸発式の加湿装置が知られている。自然蒸発式の加湿装置は、吸水した加湿体である加湿エレメントに、送風機から送り出される空気を送風することで、加湿体が保持する水を気化させて、送風機から送り出された空気を加湿する加湿装置である。加湿体に供給される水は、給水パイプから給水され、加湿体に吸い込まれる。
【０００３】
加湿体は、ハニカム状、格子状、及び波板状といった形状の複数の不繊布を組み合わせた構造である。このため、加湿体は、組み合わされた不繊布間に生じる間隙と、不繊布の絡み合った繊維間に生じる多孔質構造により、保水性、吸水性、及び通風性を有する。送風機は、吸水した加湿体に空気を送風し、加湿された空気を加湿装置の給気口から外部へ送り出す。
【先行技術文献】
【特許文献】
【０００４】
【特許文献１】特許第３３０５５４６号公報
【発明の概要】
【発明が解決しようとする課題】
【０００５】
しかしながら、特許文献１によれば、加湿装置を傾斜した状態で設置した場合、加湿装置が備える加湿エレメントも傾斜する。一般的に、水は、重力の影響により、高いところから低いところに移動する。このため、加湿エレメントが傾斜することで、加湿エレメントが吸水した水は、高さが低い側の端部に集中して流れやすくなる。流れる水の量が、加湿エレメントの吸水力を超えた場合には、加湿エレメントの低い側で表面から水が溢れだす。送風機から送り出された空気が加湿エレメントの表面に送風されることで、表面に溢れだした水が飛散する場合可能性がある。
【０００６】
本発明は、上記に鑑みてなされたものであって、水の飛散を抑制可能な加湿装置を得ることを目的とする。
【課題を解決するための手段】
【０００７】
上述した課題を解決し、目的を達成するために、本発明に係る加湿装置は、水を保持する加湿体及び前記加湿体へ流入した空気を流出させる開口を有し、開口が同一方向を向いて並んで配列される複数の加湿素子と、加湿素子の開口側で複数の加湿素子の一部と対向する給気口とを備える。複数の加湿素子のうち水平面に対して傾斜する第１加湿素子と、第１加湿素子に隣接し、かつ水平面に対して傾斜する第２加湿素子との境界部分の少なくとも一部が給気口と対向する。第１加湿素子及び第２加湿素子は境界部分に向かって前記水平面から離れる。
【発明の効果】
【０００８】
本発明によれば、水の飛散を抑制可能な加湿装置を得ることができるという効果を奏する。
【図面の簡単な説明】
【０００９】
【図１】実施の形態１に係る加湿装置の構成を示す模式図
【図２】実施の形態１における複数の加湿素子の構成を示す図
【図３】実施の形態１における加湿素子を示す斜視図
【図４】実施の形態１における加湿素子を示す分解図
【図５】実施の形態１における加湿素子を示す正面図
【図６】図５におけるＶＩ−ＶＩ線に沿った加湿素子を示す断面図
【図７】図３に示した加湿素子を反転させた斜視図
【図８】図６に示されるＶＩＩＩ−ＶＩＩＩ線に沿った、貯水部周辺の断面図
【図９】実施の形態１に係る２つの加湿素子を給気口から見た状態を示す図
【図１０】実施の形態２に係る加湿装置が有する加湿素子を、給気口側から見た図
【図１１】実施の形態３に係る加湿装置が有する加湿素子を、給気口側から見た図
【図１２】図１１に示される加湿素子を、ＸＩＩ−ＸＩＩ線に沿って切ったときの断面図
【図１３】実施の形態４に係る加湿装置の構造を示す図
【図１４】実施の形態５に係る換気装置の一例を示す図
【図１５】実施の形態５に係る空気調和装置の一例を示す図
【発明を実施するための形態】
【００１０】
以下に、本発明の実施の形態に係る加湿装置を図面に基づいて詳細に説明する。なお、この実施の形態によりこの発明が限定されるものではない。
【００１１】
実施の形態１．
図１は、実施の形態１に係る加湿装置１の構成を示す模式図である。図１を用いて加湿装置１の構成を説明する。加湿装置１は、収容体７０と、ドレンパン７と、導入口８ａから取り入れた空気を加湿素子２に送風する送風機５と、保水性の素材で作られた加湿体２０を収納する加湿素子２と、開弁及び閉弁する給水弁３ａと、加湿素子２の表面から溢れた水を外部に排出する排水管４と、送風機５及び給水弁３ａの動作を制御する制御装置６とを含む。送風機５と、加湿素子２と、給水弁３ａと、排水管４と、制御装置６とは、収容体７０に収容される。
【００１２】
収容体７０は、底部７０Ｂと、底部７０Ｂから立設する壁２８，２９，３０，３１とを有する。壁２８，２９，３０，３１は、それぞれが接続している。収容体７０の壁２８には、加湿するための空気を収容体７０の外部から取り入れる導入口８ａが開口する。収容体７０の壁２９には、加湿素子２で加湿した空気を室内に供給する給気口９ａが開口する。ドレンパン７は、加湿素子２の表面から溢れた水を受け止める受皿である。ドレンパン７は、加湿素子２の下方に設置される。
【００１３】
図２は、実施の形態１に係る複数の加湿素子２の構造を示す図である。図３は、実施の形態１に係る加湿素子２を示す斜視図である。図４は、実施の形態１に係る加湿素子２を示す分解図である。加湿装置１は、複数の加湿素子２を備える。加湿装置１は、少なくとも１つの加湿素子２を備えていればよい。各加湿素子２は、加湿用の水の供給を受けるための給水管３が接続されている。
【００１４】
加湿素子２は、ケーシング１０と、貯水部１２とを含む。ケーシング１０は、加湿体２０の外周部分を覆うことにより、加湿体２０を内部に収納する。ケーシング１０は、複数の加湿素子２を連結する連結部を有する。複数の加湿素子２は、ケーシング１０が有する連結部により連結される。貯水部１２は、水を貯める水槽であり、貯水した水を加湿体２０に供給する。実施の形態１において、貯水部１２は、加湿体２０の上方に配置されているので、貯水部１２は、重力の作用を利用して水を加湿体２０に滴下する。
【００１５】
貯水部１２には、図１に示される水位検知センサー６０が取り付けられている。水位検知センサー６０は、貯水部１２に貯水された水の水位を検出する。制御装置６は、水位検知センサー６０によって検出された水位の情報に基づき、送風機５の回転速度を増減させたり、給水弁３ａを開閉したりする。
【００１６】
図２に示されるように、実施の形態１において、加湿装置１は複数、すなわち２つ以上の加湿素子２を搭載することができる。加湿装置１は、複数の加湿素子２を搭載することができるので、加湿装置１に必要な加湿量に応じて、加湿素子２の数を変更できる。加湿装置１を安価に製造するためには、加湿素子２は複数の仕様の加湿装置１に対応した共通部品である必要がある。つまり、加湿素子２自体が大き過ぎると個別の仕様への対応が難しく、加湿素子２自体が小さすぎるとメンテナンスの際に加湿素子２の交換に時間を要し、部品コストも上昇する。このため、加湿素子２の寸法は、個別の仕様への対応と、メンテナンスの容易さ及びコストとを踏まえて検討されることが望ましい。
【００１７】
加湿素子２に加湿用の水を供給する給水系は、給水管３及び給水弁３ａを含む。給水管３は、加湿装置１の外部から加湿素子２の貯水部１２へ水を導く。給水弁３ａは、加湿素子２に給水される水の圧力及び流量を調整する。給水系は、給水系への塵の侵入を抑制するためのストレーナを含む。実施の形態１において、給水源との接続部を除く給水系の各接続部分は、すべてドレンパン７内に集約されていることが望ましい。このような構造により、各接続部分から仮に漏水があったとしても、ドレンパン７が接続部分から漏れた水を受けて加湿装置１の外部へ排出させる。
【００１８】
加湿素子２が備えるケーシング１０は、第１ケーシング１０ａ、第２ケーシング１０ｂ、給水口１１、貯水部１２及び排水部１３を含む。図３に示されるように、第１ケーシング１０ａ及び第２ケーシング１０ｂには、複数の爪部１５が設けられている。複数の爪部１５がそれぞれ嵌め合せられることで、ケーシング１０が組み立てられる場合には、第１ケーシング１０ａと第２ケーシング１０ｂとの離脱が規制される。
【００１９】
給水口１１は、図１に示され給水管３と接続される。貯水部１２は、第１ケーシング１０ａ及び第２ケーシング１０ｂの間に挟み込まれて保持される。貯水部１２に貯められた水は、加湿体２０に給水される。加湿体２０の表面から流れ出した水、及び蒸発せずに加湿体２０の下部から流出した水は、図１及び図２に示されるドレンパン７が受ける。ドレンパン７が受けた水は、排水管４から排水する。すなわち、ドレンパン７は、加湿体２０からの水を受けて排水管４に導くことにより、ドレンパン７の外部へ排出する。
【００２０】
排水部１３は、加湿素子２の下部、すなわち加湿体２０を挟んで貯水部１２とは反対側に位置する。排水部１３は、加湿体２０からの水を、図１に示されるドレンパン７に流す。ケーシング１０において、第１ケーシング１０ａは、開口１４ａを有する。第２ケーシング１０ｂは、第１ケーシング１０ａの開口１４ａの位置と対応する位置に開口１４ｂを有する。開口１４ａは、第１ケーシング１０ａの枠状の部分で囲まれた部分である。開口１４ｂは、第２ケーシング１０ｂの枠状の部分で囲まれた部分である。
【００２１】
第１ケーシング１０ａ側の開口１４ａ及び第２ケーシング１０ｂ側の開口１４ｂは、ケーシング１０に収納された加湿体２０の表面の一部を露出させる。図１及び図２に示される導入口８ａから収容体７０に取り入れられた空気は、開口１４ｂから加湿体２０に流入する。加湿体２０に吸水されて保持された水が蒸発することで、加湿体２０に流入した空気が加湿される。加湿された空気は、開口１４ａから流出する。このように、開口１４ｂは、加湿体２０に空気を流入させる。開口１４ａは、加湿体２０に導入された空気を流出させる。
【００２２】
ケーシング１０は、ＡＢＳ（Ａｃｒｙｌｏｎｉｔｒｉｌｅ  Ｂｕｔａｄｉｅｎｅ  Ｓｔｙｒｅｎｅ）樹脂、ＰＳ（Ｐｏｌｙ  Ｓｔｙｒｅｎｅ）樹脂、又はＰＰ（ＰｏｌｙｐｒｏＰｙｌｅｎｅ）樹脂といった熱可塑性のプラスチックによる射出成型等で形成されている。
【００２３】
第１ケーシング１０ａの開口１４ａの形状は、第２ケーシング１０ｂの開口１４ｂの形状と同様に長方形である。開口１４ａが形成される第１ケーシング１０ａの外周面の端部１０ａｔには、２つの爪部１５ａが離れて形成されている。開口１４ｂが形成される第２ケーシング１０ｂの外周面の端部１０ｂｔには、２つの爪部１５ｂが離れて形成されている。爪部１５ａはフック状であり、爪部１５ｂは切欠き状である。
【００２４】
爪部１５ａ及び爪部１５ｂは、互いに対応した位置に形成されているため、第１ケーシング１０ａと第２ケーシング１０ｂとが組み合わされて一体化される際に、フック状の爪部１５ａが切欠き状の爪部１５ｂに引っ掛かり、第１ケーシング１０ａと第２ケーシング１０ｂとの離脱が規制される。第１ケーシング１０ａと第２ケーシング１０ｂとが組み合わせられて一体化されることで、加湿体２０を収納するケーシング１０が組み立てられる。
【００２５】
第２ケーシング１０ｂの下方に位置する底部１０ｂｂから、第２ケーシング１０ｂの上方に位置する上部１０ｂｕに向かって起立する起立壁１６ｂの内側には、複数の突起１７ｂが形成されている。突起１７ｂの突出する高さは、開口１４ｂから遠ざかるにしたがって高くなる。ケーシング１０に収納される加湿体２０は、起立壁１６ｂに形成された複数の突起１７ｂと接触することで、位置決めされる。
【００２６】
図４に示されるように、加湿体２０は、複数の加湿板２０ｃを含む。加湿板２０ｃは、板状の部材である。実施の形態１において、加湿板２０ｃの素材は、多孔質の保水性素材が例示される。複数の加湿板２０ｃは、並んで配置される。隣接する加湿板２０ｃの間には、隙間が形成される。加湿板２０ｃ同士の間の隙間には、図１及び図２に示される導入口８ａから取り入れられた空気が流入する。加湿板２０ｃ同士の隙間に流入した空気は、加湿板２０ｃに保持された水が蒸発することにより加湿される。
【００２７】
加湿体２０は、板状の多孔質の保水性素材で作られた複数の加湿板２０ｃを有しているため、変形しやすい。このため、貯水部１２から供給された水を保持した加湿体２０は、水の重さで変形する可能性がある。実施の形態１では、複数の突起１７ｂが加湿体２０の位置を規制することによって加湿体２０の変形が抑制されるので、加湿板２０ｃ同士の間の隙間が確保される。複数の突起１７ｂが加湿体２０を位置決めすることで、隣接する加湿板２０ｃの間に形成された隙間の潰れが抑制されるので、空気を隙間に確実に流入させることができる。
【００２８】
第２ケーシング１０ｂが有する給水口１１から給水された水は、貯水部１２へ流れ込む。給水口１１の形状は給水管３に合わせた形状とされる。給水管３が容易に抜けないように、給水口１１に凸状の帯（かえし）が形成されたり、給水口１１に差し込まれた給水管３がホースバンドで結束されたりしてもよい。
【００２９】
給水口１１は、加湿体２０の上部から水を供給できる構造であれば位置等に制約はないが、給水管３と給水口１１との接続部から水漏れが発生した場合を考慮すると、空気の流れの上流側に配置されることが望ましい。このような配置により、給水管３と給水口１１との接続部から漏れた水は、空気の流れに乗って下流側、すなわち加湿素子２側へ導かれて加湿体２０に吸収されるため、加湿素子２から開口１４ａを通って水が飛散することを抑制できる。
【００３０】
図４に示される第２ケーシング１０ｂだけでなく第１ケーシング１０ａにも給水口１１が設けられてもよい。このようにすることで、第２ケーシング１０ｂ側及び第１ケーシング１０ａ側のいずれを空気の流入側としても、空気の流入側から給水口１１に給水管３が接続される。このため、ケーシング１０を反転させて使用することができる。
【００３１】
図５は、実施の形態１に係る加湿素子２の正面図である。図６は、図５のＶＩ−ＶＩ線に沿った断面図である。図７は、図３に示される加湿素子２を反転させた斜視図である。加湿素子２が有する加湿体２０は、互いの間に隙間を設けて一方向、図５においては矢印Ｙで示す方向に沿って並べられた複数の平板状の加湿板２０ｃを備える。複数の加湿板２０ｃが並ぶ方向が、前述した一方向である。加湿体２０の上部には、図７に示されるように、拡散部材３０が接触している。拡散部材３０は、板状の部材であり、拡散板とも称される。拡散部材３０は、一方向に沿って延びている。１つの拡散部材３０は、まとまった複数の加湿体２０と接触する。
【００３２】
加湿量に対して加湿体２０に供給された水の量が過剰な場合、加湿に供されずに排水部１３から流出する量が多くなり、無駄な水が増大する。無駄な水の増大を回避するため、図６に示されるオリフィス部５０のような水量を絞るための機構を給水口１１に設けて、加湿体２０に供給される水の流量を調整することが望ましい。加湿体２０に供給される水の流量を調整する際には、必要な加湿性能を得るため、その加湿素子２の最大加湿量よりも多い流量の水を供給できるようにする必要がある。オリフィス部５０は、圧力損失が高く、流量調節が可能であればよい。金属メッシュ又は多孔質材料によって水量を絞る機構により、加湿体２０に供給される水の流量が調整されてもよい。
【００３３】
図６に示されるように、貯水部１２は、第１ケーシング１０ａと第２ケーシング１０ｂとの間に挟まれて保持されている。貯水部１２は、拡散部材３０の上方に配置される。貯水部１２の底部には複数の注水孔１２ａが形成されている。注水孔１２ａの下部には、拡散部材３０が配置されている。貯水部１２に貯留された水は、注水孔１２ａの上部に作用する水頭圧により、注水孔１２ａの内部を通って拡散部材３０へ滴下する。
【００３４】
拡散部材３０は、多孔質の板材である。拡散部材３０は、貯水部１２から滴下した水を吸収し、加湿体２０へ送るため、素材の表面は極力親水性である方が、浸透性が良好になり通水できる流量が増加する。拡散部材３０は常に水に触れるため、水によって劣化しにくい材料、例えば樹脂ではＰＥＴ（ＰｏｌｙＥｔｈｙｌｅｎｅ  Ｔｅｒｅｐｈｔｈａｌａｔｅ）樹脂のようなポリエステル、ＰＰ樹脂又はセルロース、金属ではチタン、銅又はステンレスなどで作られた多孔質板であることが望ましい。
【００３５】
加湿体２０を構成する複数の加湿板２０ｃは、拡散部材３０と同様に多孔質の板材である。加湿板２０ｃの素材は、拡散部材３０と同一であってもよい。加湿体２０に、拡散部材３０よりも吸水性の高い素材が用いられると、拡散部材３０が吸水して内部に十分水が拡散する前に加湿板２０ｃが水を吸ってしまうため、各加湿板２０ｃへの水の供給の均一度が低下する可能性もある。その場合、水が拡散部材３０を通過する方向における拡散部材３０の寸法を十分大きくする、といった対策により、前述した均一度の低下を抑制できる。水が拡散部材３０を通過する方向における寸法は、実施の形態１においては、板状の部材である拡散部材３０の厚さである。水が加湿素子２を通過する方向における、加湿素子２全体の寸法の制約がある場合、拡散部材３０よりは若干吸水性が低い素材を使用することが望ましい。水が加湿素子２を通過する方向における加湿素子２の寸法は、加湿素子２の高さ方向の寸法に相当する。
【００３６】
加湿板２０ｃは、図４に示されるように、表面に凸部２１を有している。凸部２１によって、加湿板２０ｃ同士の間隔が保持される。凸部２１は複数であることが好ましい。凸部２１は、加湿板２０ｃに冶具を押し当てるといった加工により、加湿板２０ｃの治具が押し当てられた部分が塑性変形することにより形成される。加湿板２０ｃの表面に形成された凸部２１の位置が異なる２種類の加湿板２０ｃを交互に配列することで、加湿板２０ｃの間隔が一定に保たれる。
【００３７】
加湿板２０ｃは一方向に沿って間隔が一定に保たれていればよい。このため、一定間隔で加湿板２０ｃの板厚分の切り欠きが入った櫛を加湿板２０ｃに噛み合わせて加湿板２０ｃ同士の間隔が保持されてもよい。波状に成形された複数の加湿板２０ｃが積層されることによって、加湿板２０ｃ同士の間に隙間が形成されてもよい。この場合、積層された複数の加湿板２０ｃによって、加湿体２０はハニカム状になる。
【００３８】
拡散部材３０と加湿体２０とが接触していれば、表面張力の作用により水が淀みなく流下する。加湿素子２を組み立てる際のばらつき、及び輸送中の振動の影響を加味して、拡散部材３０の下端と加湿体２０の上端とを互いに差し込んで、両者が連結されてもよい。
【００３９】
図８は、図６に示されるＶＩＩＩ−ＶＩＩＩ線に沿った、貯水部１２周辺の断面図である。貯水部１２は、上部が大気に開放されている。給水口１１から供給される水の量が一定であれば、注水孔１２ａの上部に作用する水頭圧と複数の注水孔１２ａを流れる水に作用する流動抵抗とがバランスし、貯水部１２に貯留される水位は一定に保たれる。実施の形態１において、貯水部１２は、細長い水槽である。
【００４０】
貯水部１２の長手方向に沿って複数設けられた注水孔１２ａから拡散部材３０へ水が流出することにより、拡散部材３０の全体に水が浸透し、加湿体２０の加湿板２０ｃが並ぶ方向において均一に水が流れる。加湿体２０へ均一に水を流すことにより、加湿素子２を通過する空気を万遍なく加湿することができる。このように、貯水部１２を上部が大気解放された水槽にすることで、貯水部１２を密閉容器にする必要がなく、長期間にわたり安定して水を加湿体２０へ供給できる。また、貯水部１２を上部が大気解放された水槽にすることにより、貯水部１２を密閉容器にする必要がなくなるので、加湿素子２を簡易な構造とすることができる。その結果、加湿素子２を容易に組み立てられるという利点がある。
【００４１】
注水孔１２ａに塵が侵入したり、注水孔１２ａの内部表面に蒸発残留物成分が付着して堆積したりした場合、注水孔１２ａの流動抵抗が増加する。その結果、平常時と比較して、貯水部１２に貯留される水の水位ｈは上昇する。水位ｈが貯水部１２の高さを超えると水が溢れてしまうため、貯水部１２は、図７及び図８に示されるように、注水孔１２ａを避けた位置に、上下、すなわち貯水部１２から加湿素子２の排水部１３に向かって延びる筒状の導水管１００を、内側に有している。
【００４２】
導水管１００は、図８に示されるように、貯水部１２の外壁の上端１２Ｔよりも低い位置に、導水管１００の内部へ水を流入させる流入口１００ａが形成されている。導水管１００の上端１００Ｔは、貯水部１２の外壁の上端１２Ｔよりも低い位置になっている。導水管１００の上端１００Ｔ側の開口が流入口１００ａとなる。導水管１００の上端１００Ｔが貯水部１２の外壁の上端１２Ｔよりも高い場合には、貯水部１２の外壁の上端１２Ｔよりも低い位置に導水管１００の開口を設けて流入口１００ａとすればよい。貯水部１２の内部には、貯水部１２の水位ｈを検知する水位検知センサー６０が設置されてもよい。図１に示される制御装置６は、水位検知センサー６０によって検知された水位ｈのフィードバックを受けて、給水弁３ａの開閉を制御することにより、加湿体２０を流れる水の流量を制御する。
【００４３】
導水管１００の下端１００ＢＴには、拡散部材３０が接触している。導水管１００に流入した水は、拡散部材３０に浸透したのち、拡散部材３０に接触している加湿体２０に浸透し、加湿体２０を加湿させる。導水管１００は、注水孔１２ａに蒸発残留物が付着した場合、及び給水弁３ａが故障する等して貯水部１２の水が溢れた場合の、緊急用のオーバーフロー式の流路として機能する。
【００４４】
図７に示されるように、導水管１００は、貯水部１２の長手方向に対し両端側に各１箇所ずつ設けられている。このような構造により、加湿装置１が傾斜して配置された場合でも、低い側に位置する導水管１００に余剰水を流すことができるので、貯水部１２からオーバーフローした水が想定外の流路を通り、加湿装置１の外へ漏れ出すことを回避できる。
【００４５】
貯水部１２の四隅に導水管１００を設けることにより、加湿装置１が任意の方向に傾斜した場合に余剰水を導水管１００に流すことができる。図７に示されるように、貯水部１２の幅、すなわち貯水部１２の長手方向と直交する方向の寸法に対して、貯水部１２の長手方向の寸法が十分に長い場合は、導水管１００は、貯水部１２の長手方向の両端に各１個ずつ設置されていればよい。導水管１００を加湿素子２の上部に設けることで、加湿素子２に供給される水をすべて加湿体２０に流すことができる。加湿体２０を流れる水は、加湿体２０を洗浄する効果を有する。貯水部１２から水がオーバーフローした場合であってもオーバーフローしない場合であっても、導水管１００及び注水孔１２ａの少なくとも一方によって加湿体２０に水が流れるので、加湿体２０が洗浄される。その結果、加湿体２０の汚れに起因した加湿性能の低下を抑制する効果が得られる。
【００４６】
図９は、実施の形態１に係る２つの加湿素子２を給気口９ａから見た状態を示す図である。図９では、加湿素子２と給気口９ａとの位置関係を明らかにするために、図１に示される収容体７０は図示を省略し、給気口９ａの輪郭線のみ図示している。次の説明では、支持体７Ｓの第１傾斜部７ａと第２傾斜部７ｂとが接続する部分７ｅを挟んで隣接する加湿素子２を適宜、第１の加湿素子２−１及び第２の加湿素子２−２と称する。
【００４７】
空気は、図１に示される導入口８ａから加湿体２０に流入した後、加湿素子２の開口１４ａから流出して、図１に示される給気口９ａを通過する。図９に示される例においては、空気は、図９の紙面の奥側から、図９の紙面の手前側へ流れる。導入口８ａ及び給気口９ａは、複数の加湿素子２が取り外されると、互いに対向した位置に開口する。導入口８ａと給気口９ａとは、互いに対応した位置に開口していなくてもよい。
【００４８】
加湿素子２を通過した空気は、給気口９ａから流出して室内に流れる。収容体７０の内部における給気口９ａの近傍は、空気が通過する流路の断面積が急激に縮小する。そのため、給気口９ａの近傍では、空気の速度が速くなりやすく、特に給気口９ａと対向する領域で空気の速度が高くなりやすい。給気口９ａは、周縁から中央に近づくほど空気の速度は速くなる。
【００４９】
加湿装置１において、複数の加湿素子２は、開口１４ａが同一方向を向いて、並んで配列される。複数の加湿素子２のうち第１加湿素子２−１は水平面ＨＬＰに対して傾斜する。第２加湿素子２−２は第１加湿素子２−１に隣接し、かつ水平面ＨＬＰに対して傾斜する。第１加湿素子２−１及び第２加湿素子２−２は、第１加湿素子２−１と第２加湿素子２−２との境界部分２５に向かって水平面ＨＬＰから離れる。
【００５０】
第１加湿素子２−１及び第２加湿素子２−２を前述したような姿勢とするため、加湿装置１は、複数の加湿素子２を支持する支持体７Ｓを有する。支持体７Ｓは、第１方向ＦＤに向かって高くなる第１傾斜部７ａ、及び第２傾斜部７ｂを有する。第２傾斜部７ｂは、第１傾斜部７ａと接続され、かつ第１方向ＦＤに向かって低くなる。支持体７Ｓは、第１傾斜部７ａ及び第２傾斜部７ｂで複数の加湿素子２を支持する。
【００５１】
支持体７Ｓは、上方から見た場合、第１方向ＦＤに沿って延びた、細長い形状である。第１方向ＦＤは、支持体７Ｓの長手方向であり、支持体７Ｓが延びる方向である。実施の形態１において、第１方向ＦＤは、水平面ＨＬＰと平行、かつ給気口９ａから流出する空気の流れる方向と交差する方向とすることができる。実施の形態１においては、第１方向ＦＤは、水平面ＨＬＰと平行、かつ給気口９ａから流出する空気の流れる方向と直交する方向である。
【００５２】
支持体７Ｓは、第１傾斜部７ａと第２傾斜部７ｂとが接続する部分７ｅを頂部とする山型の形状を呈している。以下において、部分７ｅを適宜、頂部７ｅと称する。実施の形態１において、支持体７Ｓは、加湿素子２の下方に設置されるドレンパン７の盛り上がった部分である。すなわち、支持体７Ｓは、ドレンパン７に形成された、山型の形状の部分である。複数の加湿素子２は、支持体７Ｓに載置される。すなわち、支持体７Ｓは、載置された複数の加湿素子２を、加湿素子２の下方から支持する。ドレンパン７に支持体７Ｓが形成されることで、加湿素子２をドレンパン７の支持体７Ｓに設置するだけで、加湿装置１からの水の飛散を抑制できる角度に加湿素子２を傾けることができる。
【００５３】
給気口９ａは、加湿素子２の開口１４ａ側で、複数の加湿素子２の一部と対向する。実施の形態１においては、複数の加湿素子２のうち、給気口９ａは、第１の加湿素子２−１の一部及び第２の加湿素子２−２の一部と対応する。
【００５４】
複数の加湿素子２のうち第１傾斜部７ａに支持される第１加湿素子２−１と、第１加湿素子２−１に隣接し、かつ第２傾斜部７ｂに支持される第２加湿素子２−２との境界部分２５の少なくとも一部は、給気口９ａと対向する。これは、給気口９ａから流出する空気が流れる方向とは反対の方向に沿って、給気口９ａの形状を複数の加湿素子２に投影した場合、投影された給気口９ａの形状に、境界部分２５の少なくとも一部が含まれることを意味する。
【００５５】
境界部分２５から離れた側の側面２７−１，２７−２は、境界部分側の側面２６−１，２６−２よりも高さが低くなる。このため、第１の加湿素子２−１が有する加湿体２０の加湿板２０ｃが並ぶ方向が、第１傾斜部７ａと平行になり、第２の加湿素子２−２が有する加湿体２０の加湿板２０ｃが並ぶ方向が、第２傾斜部７ｂと平行になる。加湿板２０ｃが並ぶ方向は、矢印Ｙで示される方向である。
【００５６】
第１の加湿素子２−１と第２の加湿素子２−２とは、頂部７ｅを挟んで隣接しているので、第１の加湿素子２−１の加湿板２０ｃが並ぶ方向と、第２の加湿素子２−２の加湿板２０ｃが並ぶ方向とは、異なる方向に傾斜する。
【００５７】
支持体７Ｓに載置される第１の加湿素子２−１は、境界部分２５側の側面２６−１よりも境界部分２５から離れた側の側面２７−１の方が低くなる。及び第２の加湿素子２−２は、境界部分２５側の側面２６−１よりも境界部分２５から離れた側の側面２７−２方が低くなる。
【００５８】
第１の加湿素子２−１と第２の加湿素子２−２とが頂部７ｅを挟んで傾斜することで、第１の加湿素子２−１と第２の加湿素子２−２との間には隙間が生じる。したがって、第１の加湿素子２−１と第２の加湿素子２−２とは連結されていない状態となる。第１の加湿素子２−１と第２の加湿素子２−２との間の隙間は、スペーサー１１０で埋められている。スペーサー１１０は発泡材のような、クッション性を有し、経年的に耐水性が認められる素材が好適である。スペーサー１１０は、隙間を埋めることができればよいので、スペーサー１１０の素材はこの限りではない。また、支持体７Ｓの周囲には、排水管４に向かって低くなるように傾斜した排水導水部７ｃが形成されている。
【００５９】
次に、加湿体２０に供給された水の流れについて説明する。水は、高いところから低いところに移動する。このため、吸水した加湿体２０が傾斜した場合、加湿体２０の低い側の端部に水が集中して流れやすくなる。図９では、加湿装置１の配置において、水が集中して流れやすい部分を矢印Ｖとして示している。
【００６０】
加湿装置１は、加湿素子２が傾斜して配置されているため、図４に示される貯水部１２も傾斜している。図７及び図８に示されるように、貯水部１２の両端に導水管１００が形成されているが、貯水部１２が傾斜することで、より低い位置にある導水管１００、すなわち矢印Ｖの上方に位置する導水管１００から先に水が溢れるため、矢印Ｖで示す部分には、より一層集中して水が流れやすくなる。
【００６１】
水の集中によって、加湿体２０が吸水可能な量を超えた量の水が加湿体２０に流れた場合には、加湿体２０の内部ではなく、表面に水が流れやすくなる。送風機５から送られてくる空気の速度が速い場合、加湿体２０の表面に流れる水が空気に吹き飛ばされて、給気口９ａを通じて室内に浸入してしまう可能性がある。前述したように、給気口９ａと加湿素子２とが対向する部分で空気の速度が速くなりやすいので、給気口９ａと対向する部分に水が集中して流れると、水が吹き飛ばされて室内に浸入する可能性が増加する。
【００６２】
加湿装置１は、図９に示されるように、山型の形状を呈する支持体７Ｓに、頂部７ｅを挟んで第１加湿素子２−１と第２加湿素子２−２とを隣接して支持させるとともに、境界部分２５の少なくとも一部を給気口９ａと対向させる。このような構造により、加湿装置１は、加湿体２０から溢れた水を第１加湿素子２−１及び第２加湿素子２−２の低い側へ流すことができる。このため、加湿装置１は、水が集中して流れやすい低い部分を給気口９ａと対向する部分から外すことができるので、給気口９ａから水が飛散することを抑制できる。
【００６３】
給気口９ａは、第１加湿素子２−１の境界部分２５側、及び第２加湿素子２−２の境界部分２５側と対向することが好ましい。第１加湿素子２−１及び第２加湿素子２−２の境界部分２５側は、開口１４ａのうち、境界部分２５に近い側の部分である。この部分は、開口１４ａの境界部分２５に近い側から、加湿体２０を構成する複数の加湿板２０ｃが並ぶ方向に沿った開口１４ａの寸法の９０％以下、好ましくは７５％以下、さらに好ましくは６０％以下の範囲に相当する部分である。第１加湿素子２−１及び第２加湿素子２−２に投影された給気口９ａの形状が、前述した範囲に相当する部分に入っていればよい。
【００６４】
第１傾斜部７ａと第２傾斜部７ｂとが接続される部分である頂部７ｅは、給気口９ａから加湿素子２を見て、給気口９ａの中央部分の下方に位置することが好ましい。このようにすることで、加湿素子２に投影された給気口９ａの形状に占める、第１加湿素子２−１の開口部１４ａの割合と、第２加湿素子２−２の開口部１４ｂの割合とを同等にできるので、第１加湿素子２−１及び第２加湿素子２−２の両方の水が集中して流れやすい部分を、給気口９ａと対向する部分から外しやすくなる。また、頂部７ｅを前述したようにすると、空気の速度が速い給気口９ａの付近と、加湿素子２２内において通水流量が多くなる、加湿素子２０の低い側とを積極的に遠ざけることができるので、加湿素子２から加湿装置１の外部に水が飛散することが抑制される。
【００６５】
実施の形態１において、給気口９ａは円形である。給気口９ａの形状は円形に限定されず、楕円形であってもよいし、正方形、長方形、台形、平行四辺形及び五角形その他の多角形であってもよい。給気口９ａの中央は、給気口９ａの形状の図心である。
【００６６】
複数の加湿素子２の一部に投影された給気口９ａの形状には、２個以下の加湿素子２が含まれていればよい。すなわち、複数の加湿素子２の一部に投影された給気口９ａの形状には、第１加湿素子２−１又は第２加湿素子２−２が含まれていてもよい。この場合、投影された給気口９ａの形状から、第１加湿素子２−１又は第２加湿素子２−２の水が集中して流れやすい部分を外すためには、給気口９ａの大きさ及び形状の少なくとも一方が制約を受ける可能性がある。投影された給気口９ａの形状に境界部分２５が含まれ、さらに投影された給気口９ａの形状の中央又は中央近傍に境界部分２５が配置されることにより、給気口９ａが前述した制約を受ける可能性が低減される。
【００６７】
水平面ＨＬＰに対する第１傾斜部７ａの角度を傾斜角αとし、水平面ＨＬＰに対する第２傾斜部７ｂの角度を傾斜角βとし、水平面ＨＬＰに対する排水導水部７ｃの角度を傾斜角γとする。傾斜角αは第１傾斜部７ａの勾配に相当し、傾斜角βは第２傾斜部７ｂの勾配に相当し、傾斜角γは排水導水部７ｃの勾配に相当する。加湿装置１の設置に際し、加湿装置１が設置される設置角度の許容範囲である許容設置傾斜角度を±θとする。許容設置傾斜角度±θは、加湿装置１の許容設計勾配に相当する。
【００６８】
α＞θ及びβ＞θとすることで、加湿装置１の設置角度、すなわち設置傾斜角度が±θの範囲であれば、図９に矢印Ｖで示される部分、すなわち、第１加湿素子２−１及び第２加湿素子２−２のより低い側となる部分を、給気口９ａと対向する部分から外すことができる。これにより、加湿装置１を設置した際の傾きを原因とする、加湿装置１から室内への水の浸入を抑制することができる。また、加湿装置１の設置角度がばらついている場合でも、加湿素子２はそれ以上に傾斜させることができるため、水の飛散を抑制することができる。
【００６９】
また、α＞θ及びβ＞θの条件に加えて、γ＞θとすることで、加湿装置１の設置角度が±θの範囲であれば、排水管４に向かって低くなるように排水導水部７ｃを傾斜させることができる。その結果、ドレンパン７上の水は、円滑に排水管４から排出される。
【００７０】
実施の形態１とは異なり、加湿素子２が傾斜しておらず、複数の加湿素子２が水平に配置された場合について説明する。水平に並んで配置された加湿素子２の境界部分２５が給気口９ａと対向する部分に配置されている場合、加湿装置１が傾くと、加湿装置１の傾きにしたがって加湿素子２も傾くため、傾いた低い側に水が集中して流れやすくなる。すなわち、加湿装置１が傾斜した場合には、水が集中して流れやすくなる部分が給気口９ａに対向する部分となってしまうので、加湿素子２から水が吹き飛ばされて室内に浸入しやすくなってしまう。
【００７１】
加湿装置１は、第１加湿素子２−１の境界部分２５側の側面２６−１よりも高さが低い側面２７−１は、給気口９ａと対向する部分から外れて位置しており、第２加湿素子２−２の境界部分２５側の側面２６−２よりも高さが低い側面２７−２は、給気口９ａと対向する部分から外れて位置している。このため、第１加湿素子２−１及び第２加湿素子２−２の低い側から流出した水は、通過する空気の速度が相対的に遅いこと、及び飛散した水は図１に示される壁２９によって遮られることによって、給気口９ａから飛散する量が低減される。このように、実施の形態１は、加湿装置１が傾斜した場合であっても、水が集中して流れやすくなる部分を給気口９ａに対向する部分から外すことができるので、加湿装置１の給気口９ａから水が室内に浸入することを抑制できる。
【００７２】
実施の形態１では、すべての加湿素子２が傾斜して配置された例を示したが、給気口９ａと対向しない加湿素子２は傾斜していなくてもよい。すなわち、複数の加湿素子２のうち、第１の加湿素子２−１及び第２の加湿素子２−２以外の加湿素子２は傾斜していなくてもよい。また、実施の形態１では、支持体７Ｓが加湿素子２を面で支持する例を示したが、複数の突起で加湿素子２を支持し、突起の高さを異ならせることで加湿素子２を傾斜させる支持部であってもよい。
【００７３】
実施の形態１では、加湿素子２は導水管１００を有するとしたが、加湿素子２は、必ずしも導水管１００を有していなくてもよい。導水管１００を含む貯水部１２は、加湿素子２に水を供給する際に、供給する水の流量の大部分が加湿体２０内を流れることにより、加湿体２０の洗い流し効果を得ることができる構造であればよく、必ずしも上部が大気開放されている水槽である必要はない。貯水部１２は、水密の管で構成され、管に穿孔された小孔から加湿体２０に向けて水を滴下する構造でもよい。
【００７４】
実施の形態１において、加湿素子２の傾斜となる面は、ドレン排出口の真下、詳細には収容体７０の底面の、排水管４側の部分の面である。傾斜の基準となる面は、前述した水平面ＨＬＰに相当する。傾斜の基準となる面は、収容体７０の底面の、排水管４側の部分の面には限定されない。一例として、収容体７０の上面の中央部が傾斜の基準となる面であってもよい。加湿装置１を据え付ける作業者は、傾斜の基準となる面に水準器を当てて、勾配を確認する。このように、実施の形態１において、加湿素子２を傾斜させる基準及びドレンパン７の勾配の基準は、据付工事用の勾配調整用に指定された面である。
【００７５】
以上説明したように、実施の形態１に係る加湿装置１は、水飛散の可能性を抑えることができる。実施の形態１で開示した構成は、以下の実施の形態でも適宜適用できる。
【００７６】
実施の形態２．
図１０は、実施の形態２に係る加湿装置１ａが有する加湿素子２ｄを、給気口９ａ側から見た図である。実施の形態２は、加湿素子２ｄを除いて実施の形態１と同様である。実施の形態２では、実施の形態１と同じ構成の説明は省略する。
【００７７】
加湿素子２ｄは、加湿体２０ｄを収納するケーシング１０ｄの底面が、予めドレンパン７の傾斜に合わせて傾斜した形状となる。実施の形態２では、ケーシング１０ｄの底面１０ｄｂの傾斜角と上面１０ｄｕの傾斜角とを同様に設定したため、ケーシング１０ｄを有する加湿素子２ｄは、開口１４ａ側から見た場合、平行四辺形の形状となる。
【００７８】
図１０に示されるように、第１加湿素子２−１ｄを支持する第１傾斜部７ａの傾斜角は傾斜角αと設定され、第１加湿素子２−１ｄの底面１０ｄｂの傾斜角も第１傾斜部７ａの傾斜角と同じ角度である傾斜角αと設定される。また、第２加湿素子２−２ｄを支持する第２傾斜部７ｂの傾斜角は傾斜角βと設定され、第２加湿素子２−２ｄの底面１０ｄｂの傾斜角も第２傾斜部７ｂの傾斜角と同じ角度である傾斜角βと設定される。
【００７９】
第１加湿素子２−１ｄ及び第２加湿素子２−２ｄの底面１０ｄｂは、第１加湿素子２−１ｄ及び第２加湿素子２−２ｄの上面１０ｄｕに対し、互いに平行な面となる。第１加湿素子２−１ｄの側面２６−１と側面２７−１とは互いに平行であり、第２加湿素子２−２ｄの側面２６−２と側面２７−２とは互いに平行である。このため、第１加湿素子２−１ｄ及び第２加湿素子２−２ｄは、開口１４ａ側から見ると、平行四辺形の形状となる。
【００８０】
実施の形態２では、給気口９ａ側から見た加湿素子２ｄの形状を平行四辺形とすることで、第１加湿素子２−１ｄと第２加湿素子２−２ｄとの間に隙間が形成されない。一例として、隙間が形成されないようにするためには、加湿素子２ｄの境界部分２５ｄとなる面と、底面１０ｄｂとがなす角度を、第１加湿素子２−１であれば９０＋α°とし、第２加湿素子２−２であれば９０＋β°とする。
【００８１】
実施の形態２では、第１加湿素子２−１ｄと第２加湿素子２−２ｄとの間に隙間が形成されないため、実施の形態１において第１加湿素子２−１と第２加湿素子２−２との間に設けたスペーサー１１０が省略される。また、加湿装置１ａは、実施の形態１と同様に水の飛散を抑制して、室内への水の浸入を抑制することができる。給気口９ａから見た場合、α＝βとすることで、第１加湿素子２−１ｄと第２加湿素子２−２ｄとを、境界部分２５ｄを基準とした線対称の形状とすることができる。すなわち、第１加湿素子２−１ｄは、反転させることにより、第２加湿素子２−２ｄとして用いられる。実施の形態２で開示した構成は、以下の実施の形態でも適宜適用できる。
【００８２】
実施の形態３．
図１１は、実施の形態３に係る加湿装置１ｂが有する加湿素子２ｅを、給気口９ａ側から見た図である。図１２は、図１１に示される加湿素子２ｅを、ＸＩＩ−ＸＩＩ線に沿って切ったときの断面図である。実施の形態３は、支持部の構造を除いて実施の形態１と同様である。実施の形態３では、実施の形態１と同じ構成の説明は省略する。
【００８３】
実施の形態３において、複数の加湿素子２ｅを支持する支持部は、レール１２０である。レール１２０は、複数の加湿素子２ｅの上部、すなわち収容体７０の天井７０ＴＰから吊り下げられる。レール１２０は、収容体７０に支持されていればよいので、天井７０ＴＰから吊り下げられなくてもよい。
【００８４】
レール１２０は、複数の加湿素子２ｅが並んで配列される方向に延びる部材である。ケーシング１０ｅには、レール受け部１３０が形成されている。レール受け部１３０はレール１２０が延びる方向に沿って延びている。レール受け部１３０は、ケーシング１０ｅから突出した部材である。図１２に示される加湿素子２ｅが有するレール受け部１３０をレール１２０に引っ掛けることにより、加湿素子２ｅがレール１２０に支持される。
【００８５】
レール１２０は、第１傾斜部１２７ａ及び第２傾斜部１２７ｂを有し、第１傾斜部１２７ａと第２傾斜部１２７ｂとが接続する部分７ｆを頂部とする山型の形状を呈している。レール１２０に引っ掛けられる第１加湿素子２−１ｅの境界部分２５側の側面２６−１よりも高さが低い側面２７−１は、給気口９ａと対向する部分から外れている。レール１２０に引っ掛けられる第２加湿素子２−２ｅの境界部分２５側の側面２６−２よりも高さが低い側面２７−２は、給気口９ａと対向する部分から外れている。図１１に示される例では、レール１２０に引っ掛けられる第１加湿素子２−１ｅ及び第２加湿素子２−２ｅの境界部分２５の位置は、第１加湿素子２−１ｅ及び第２加湿素子２−２ｅに投影された給気口９ａの形状に含まれる。
【００８６】
ケーシング１０ｅが有するレール受け部１３０は、図１２に示されるように、加湿素子２ｅの風下側に位置する第１ケーシング１０ａｅにレール受け部１３０が形成されている。レール受け部１３０は、第２ケーシング１０ｂｅに形成されてもよい。このように、レール受け部１３０は、第１ケーシング１０ａｅ又は第２ケーシング１０ｂｅのいずれかに設けられていればよい。レール受け部１３０は、第１ケーシング１０ａｅ及び第２ケーシング１０ｂｅの両側に設けられてもよい。
【００８７】
レール１２０は、ケーシング１０ｅに形成されたレール受け部１３０の位置と対応するように設けられる。このような構造にすることで、支持体７Ｓをドレンパン７に設置する場合に比べて、加湿素子２を傾斜させる機能と排水を排水管４に導く機能とを分離させることができる。その結果、ドレンパン７に複雑な形状を持たせる必要がなくなるので、ドレンパン７が保水できる量を大きくすることができる。また、加湿装置１ｂは、実施の形態１と同様に水の飛散を抑制することができる。さらに、加湿装置１ｂは、加湿素子２をレール１２０に引っ掛けるだけで、加湿装置１からの水の飛散を抑制できる角度に加湿措置２を傾けることができる。実施の形態３で開示した構成は、以下の実施の形態でも適宜適用できる。
【００８８】
実施の形態４．
図１３は、実施の形態４に係る加湿装置１ｃの構造を示す図である。実施の形態４は、実施の形態１と同様であるが、加湿素子２が１つであり、支持体７Ｓｅが１つの傾斜部７ｇを有する点が異なる。実施の形態４では、実施の形態１と同じ構成の説明は省略する。
【００８９】
図１３では、加湿素子２と給気口９ａとの位置関係を明らかにするために、給気口９ａの輪郭線のみ図示している。加湿素子２は、水平面ＨＬＰに対して傾斜している。給気口９ａは、開口側１４ａ側で加湿素子２の一部と対向し、かつ傾斜した加湿素子２の低い方に配置される加湿素子２の部分とは対向しない。
【００９０】
支持体７Ｓｅは、加湿素子２が載置されてこれを支持する。支持体７Ｓｅは、ドレンパン７Ｄに形成されている。支持体７Ｓｅは、加湿素子２を下部側から支持する。図１３に示されるように、支持体７Ｓｅは、給気口９ａから見て水平面ＨＬＰに対して傾斜している。支持体７Ｓｅの傾斜している部分が傾斜部７ｇである。加湿素子２の高い側の側面２６は、加湿素子２に投影された給気口９ａの形状に含まれる。
【００９１】
加湿装置１ｃでは、図１３に示されるように、傾斜部７ｇに加湿素子２が載置されて支持されることで、水が集中して流れやすい低い部分を給気口９ａと対向する部分から外すことができる。そのため、本実施の形態４に係る加湿装置１ｃでは、水の飛散を抑制することができる。
【００９２】
また、水平面ＨＬＰに対する傾斜部７ｇの角度を傾斜角αとし、水平面ＨＬＰに対する排水導水部７ｈの角度を傾斜角γとする。また、加湿装置１ｃの設置に際し、加湿装置１ｃが設置される設置角度の許容範囲である許容設置傾斜角度を±θとする。この場合、α＞θとすることで、加湿装置１ｃの設置角度、すなわち設置傾斜角度が±θの範囲であれば、矢印Ｖで示される部分、すなわち、より低い側となる部分を給気口９ａと対向する部分から外すことができる。これにより、加湿装置１ｃを設置した際の傾きを原因とする、室内への水の浸入を抑制することができる。
【００９３】
また、α＞θの条件に加えて、γ＞θとすることで、加湿装置１の設置角度が±θの範囲であれば、排水管４に向かって低くなるように排水導水部７ｈを傾斜させることができ、ドレンパン７上の水を円滑に排水管４から排出させることができる。支持体７Ｓｅは、実施の形態３と同様に、加湿素子２を引っ掛けて支持するレールであってもよい。
【００９４】
実施の形態５．
図１４は、実施の形態５に係る換気装置２００の一例を示す図である。図１５は、実施の形態５に係る空気調和装置３００の一例を示す図である。換気装置２００及び空気調和装置３００は、実施の形態１から実施の形態４に係る加湿装置１，１ａ，１ｂ，１ｃのうちいずれか１つを備える。次においては、換気装置２００及び空気調和装置３００が加湿装置１を備える例を説明するが、換気装置２００及び空気調和装置３００は、加湿装置１ａ，１ｂ，１ｃのうちいずれか１つを備えてもよい。
【００９５】
図１４に示されるように、換気装置２００は、家屋の外部ＯＤの空気を家屋２５０の室内ＩＤに取り込む。換気装置２００の空気取入口２０１は、加湿装置１の導入口８ａに接続される。導入口８ａから加湿装置１に流入した外部ＯＤの空気は、加湿装置１によって加湿される。加湿された外部ＯＤの空気は、給気口９ａから室内ＩＤに供給される。このように、加湿装置１を備えた換気装置２００は、外部ＯＤの空気を加湿して家屋２５０の室内に供給することができる。換気装置２００は、加湿の際に、水飛散の可能性を抑えることができる。
【００９６】
図１５に示されるように、空気調和装置３００は、室外機３０１と室内機３０２と、加湿装置１とを有する。室外機３０１は家屋２５０の外部ＯＤに設置され、室内機３０２は家屋２５０の室内ＩＤに設置される。室内機３０２は、加湿装置１を備える。室外機３０１からは、室内機３０２の熱交換器３０３に冷媒が供給される。室内機３０２の送風機３０４は、空気取入口３０５から室内ＩＤの空気を取り入れて、熱交換器３０３に送る。熱交換器３０３を通過して熱交換した空気の供給先は、切替器３０６によって、加湿器１と空気放出口３０７に直接接続される通路３０８とに切り替えられる。図１５は、熱交換器３０３を通過した空気の供給先が加湿器１である場合、すなわち熱交換器３０３を通過した空気を加湿する必要がある場合を示している。
【００９７】
熱交換器３０３を通過した空気は、加湿装置１の導入口８ａに流入した後、加湿装置１によって加湿される。加湿された外部ＯＤの空気は、空気放出口３０５から室内ＩＤに供給される。熱交換器３０３を通過した空気を加湿する必要がない場合、切替器３０６は、熱交換器３０３を通過した空気の供給先を、通路３０８とする。熱交換器３０３を通過した空気は、通路３０８を通過した後、空気放出口３０７から室内ＩＤに供給される。このように、空気調和装置３００は、外部ＯＤの空気を加湿して家屋２５０の室内ＩＤに供給することができる。また、空気調和装置３００は、加湿の必要がない場合は、熱交換器３０３を通過した空気を、加湿しないで室内ＩＤに供給することができる。空気調和装置３００は、加湿の際に、水飛散の可能性を抑えることができる。
【００９８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００９９】
１，１ａ，１ｂ，１ｃ  加湿装置、２，２ｄ，２ｅ  加湿素子、３  給水管、３ａ  給水弁、４  排水管、５  送風機、６  制御装置、７，７Ｄ  ドレンパン、７ａ，１２７ａ  第１傾斜部、７ｂ，１２７ｂ  第２傾斜部、７Ｓ，７Ｓｅ  支持体、８ａ  導入口、９ａ  給気口、１０，１０ｅ  ケーシング、１０ａ，１０ａｅ  第１ケーシング、１０ｂ，１０ｂｅ  第２ケーシング、１２  貯水部、１３  排水部、１４ａ，１４ｂ  開口、２０，２０ｄ  加湿体、２０ｃ  加湿板、２５，２５ｄ  境界部分、２８，２９，３０，３１  壁、３０  拡散部材、７０  収容体、１００  導水管、１２０  レール、１３０  レール受け部、２００  換気装置、３００  空気調和装置。
【図１】
2018071913.tif 000003
【図２】
2018071913.tif 000004
【図３】
2018071913.tif 000005
【図４】
2018071913.tif 000006
【図５】
2018071913.tif 000007
【図６】
2018071913.tif 000008
【図７】
2018071913.tif 000009
【図８】
2018071913.tif 000010
【図９】
2018071913.tif 000011
【図１０】
2018071913.tif 000012
【図１１】
2018071913.tif 000013
【図１２】
2018071913.tif 000014
【図１３】
2018071913.tif 000015
【図１４】
2018071913.tif 000016
【図１５】
2018071913.tif 000017